(57)【要約】【課題】互いに類似する画像からなる複数のグループに分類された画像を表示する際に、類似する画像を効率よく表示する【解決手段】選択部８１が、複数のグループに分類された画像から該各グループを代表する代表画像を選択する。表示制御部７１が、代表画像のサムネイル画像の一覧を液晶モニタ１８に表示し、一覧において所望とされる代表画像が選択された場合、選択された代表画像が属するグループに分類されたすべての画像の一覧を、代表画像のサムネイル画像の一覧に代えて液晶モニタ１８に表示する。【選択図】図１
2007257465.tif 000002
【特許請求の範囲】
【請求項１】
互いに類似する画像からなる複数のグループに分類された画像を表示する画像表示装置において、
各種表示を行う表示手段と、
前記複数のグループに分類された画像から該各グループを代表する代表画像を選択する選択手段と、
前記代表画像のサムネイル画像の一覧を前記表示手段に表示し、前記一覧において所望とされる代表画像が選択された場合、該選択された代表画像が分類されているグループのすべての画像の一覧を、前記代表画像のサムネイル画像の一覧に代えて前記表示手段に表示する表示制御手段とを備えたことを特徴とする画像表示装置。
【請求項２】
前記画像の一覧は、該選択された代表画像が分類されているグループのすべての画像のサムネイル画像の一覧であることを特徴とする請求項１記載の画像表示装置。
【請求項３】
互いに類似する画像からなる複数のグループに分類された画像を表示する画像表示装置において、
各種表示を行う表示手段と、
前記複数のグループに分類された画像から該各グループを代表する代表画像を選択する選択手段と、
所望とされる代表画像の表示の指示がなされた場合において、該指示がなされた代表画像が分類されたグループに複数の画像が分類されている場合、前記指示された代表画像に他に類似する画像があることを表すマークを付与して該指示された代表画像を前記表示手段に表示し、該指示された代表画像が分類されたグループのすべての画像の一覧表示の指示がなされると、該指示された代表画像が分類されたグループのすべての画像の一覧を前記表示手段に表示する表示制御手段とを備えたことを特徴とする画像表示装置。
【請求項４】
前記画像の一覧は、該選択された代表画像が分類されているグループのすべての画像のサムネイル画像の一覧であることを特徴とする請求項３記載の画像表示装置。
【請求項５】
互いに類似する画像からなる複数のグループに分類された画像を表示する画像表示方法において、
前記複数のグループに分類された画像から該各グループを代表する代表画像を選択し、
前記代表画像のサムネイル画像の一覧を表示手段に表示し、前記一覧において所望とされる代表画像が選択された場合、該選択された代表画像が分類されているグループのすべての画像の一覧を、前記代表画像のサムネイル画像の一覧に代えて前記表示手段に表示することを特徴とする画像表示方法。
【請求項６】
互いに類似する画像からなる複数のグループに分類された画像を表示する画像表示方法において、
前記複数のグループに分類された画像から該各グループを代表する代表画像を選択し、
所望とされる代表画像の表示の指示がなされた場合において、該指示がなされた代表画像が分類されたグループに複数の画像が分類されている場合、前記指示された代表画像に他に類似する画像があることを表すマークを付与して該指示された代表画像を表示手段に表示し、該指示された代表画像が分類されたグループのすべての画像の一覧表示の指示がなされると、該指示された代表画像が分類されたグループのすべての画像の一覧を前記表示手段に表示することを特徴とする画像表示方法。
【請求項７】
互いに類似する画像からなる複数のグループに分類された画像を表示する画像表示方法をコンピュータに実行させるためのプログラムにおいて、
前記複数のグループに分類された画像から該各グループを代表する代表画像を選択する手順と、
前記代表画像のサムネイル画像の一覧を表示手段に表示し、前記一覧において所望とされる代表画像が選択された場合、該選択された代表画像が分類されているグループのすべての画像の一覧を、前記代表画像のサムネイル画像の一覧に代えて前記表示手段に表示する手順とを有することを特徴とするプログラム。
【請求項８】
互いに類似する画像からなる複数のグループに分類された画像を表示する画像表示方法をコンピュータに実行させるためのプログラムにおいて、
前記複数のグループに分類された画像から該各グループを代表する代表画像を選択する手順と、
所望とされる代表画像の表示の指示がなされた場合において、該指示がなされた代表画像が分類されたグループに複数の画像が分類されている場合、前記指示された代表画像に他に類似する画像があることを表すマークを付与して該指示された代表画像を表示手段に表示し、該指示された代表画像が分類されたグループのすべての画像の一覧表示の指示がなされると、該指示された代表画像が分類されたグループのすべての画像の一覧を前記表示手段に表示する手順とを有することを特徴とするプログラム。
【発明の詳細な説明】
【技術分野】
【０００１】
本発明は、互いに類似する画像からなる複数のグループに分類された画像を表示する画像表示装置および方法、並びに画像表示方法をコンピュータに実行させるためのプログラムに関するものである。
【背景技術】
【０００２】
従来より、複数の画像を、各画像に付与された撮影時刻や撮影場所の情報に基づいて、複数のグループに分類することが行われている（特許文献１参照）。また、複数の画像のそれぞれについて、色、明るさ、周波数情報およびエッジ情報等の特徴量を算出し、この特徴量を重みづけして総合的な特徴量を算出し、これを画像間において比較して複数の画像を互いに類似する複数の画像からなるグループに分類する手法が提案されている（特許文献１，２参照）。さらに、あらかじめ類似する画像を学習パターンとして用いて学習を行い、この学習結果を用いて与えられた２つの画像が類似するか否かを判別する手法も提案されている（特許文献３参照）。
【特許文献１】特開２０００−１１２９９７号公報
【特許文献２】特開２０００−４８１８１号公報
【特許文献３】特開２０００−９０１１３号公報
【発明の開示】
【発明が解決しようとする課題】
【０００３】
しかしながら、上記特許文献１〜３に記載された手法においては、複数の画像を互いに類似する画像からなるグループに分類することはできるものの、類似する画像を効率よく表示することはできない。
【０００４】
本発明は上記事情に鑑みなされたものであり、類似する画像を効率よく表示することを目的とする。
【課題を解決するための手段】
【０００５】
本発明による第１の画像表示装置は、互いに類似する画像からなる複数のグループに分類された画像を表示する画像表示装置において、
各種表示を行う表示手段と、
前記複数のグループに分類された画像から該各グループを代表する代表画像を選択する選択手段と、
前記代表画像のサムネイル画像の一覧を前記表示手段に表示し、前記一覧において所望とされる代表画像が選択された場合、該選択された代表画像が分類されているグループのすべての画像の一覧を、前記代表画像のサムネイル画像の一覧に代えて前記表示手段に表示する表示制御手段とを備えたことを特徴とするものである。
【０００６】
なお、本発明による第１の画像表示装置においては、前記画像の一覧は、該選択された代表画像が分類されているグループのすべての画像のサムネイル画像の一覧であることが好ましい。
【０００７】
本発明による第２の画像表示装置は、互いに類似する画像からなる複数のグループに分類された画像を表示する画像表示装置において、
各種表示を行う表示手段と、
前記複数のグループに分類された画像から該各グループを代表する代表画像を選択する選択手段と、
所望とされる代表画像の表示の指示がなされた場合において、該指示がなされた代表画像が分類されたグループに複数の画像が分類されている場合、前記指示された代表画像に他に類似する画像があることを表すマークを付与して該指示された代表画像を前記表示手段に表示し、該指示された代表画像が分類されたグループのすべての画像の一覧表示の指示がなされると、該指示された代表画像が分類されたグループのすべての画像の一覧を前記表示手段に表示する表示制御手段とを備えたことを特徴とするものである。
【０００８】
なお、本発明による第２の画像表示装置においては、前記画像の一覧は、該選択された代表画像が分類されているグループのすべての画像のサムネイル画像の一覧であることが好ましい。
【０００９】
本発明による第１の画像表示方法は、互いに類似する画像からなる複数のグループに分類された画像を表示する画像表示方法において、
前記複数のグループに分類された画像から該各グループを代表する代表画像を選択し、
前記代表画像のサムネイル画像の一覧を表示手段に表示し、前記一覧において所望とされる代表画像が選択された場合、該選択された代表画像が分類されているグループのすべての画像の一覧を、前記代表画像のサムネイル画像の一覧に代えて前記表示手段に表示することを特徴とするものである。
【００１０】
本発明による第２の画像表示方法は、互いに類似する画像からなる複数のグループに分類された画像を表示する画像表示方法において、
前記複数のグループに分類された画像から該各グループを代表する代表画像を選択し、
所望とされる代表画像の表示の指示がなされた場合において、該指示がなされた代表画像が分類されたグループに複数の画像が分類されている場合、前記指示された代表画像に他に類似する画像があることを表すマークを付与して該指示された代表画像を表示手段に表示し、該指示された代表画像が分類されたグループのすべての画像の一覧表示の指示がなされると、該指示された代表画像が分類されたグループのすべての画像の一覧を前記表示手段に表示することを特徴とするものである。
【００１１】
なお、本発明による第１および第２の画像表示方法をコンピュータに実行させるためのプログラムとして提供してもよい。
【発明の効果】
【００１２】
本発明の第１の画像表示装置および方法によれば、複数のグループに分類された画像から各グループを代表する代表画像が選択され、代表画像のサムネイル画像の一覧が表示される。そして一覧において所望とされる代表画像が選択されると、選択された代表画像が分類されたグループのすべての画像の一覧が、代表画像のサムネイル画像の一覧に代えて表示される。このため、ユーザは代表画像を選択しさえすれば、その代表画像に類似する画像の一覧を表示できることから、類似画像を効率よく表示することができる。
【００１３】
この際、画像の一覧として、選択された代表画像が分類されたグループのすべての画像のサムネイル画像の一覧を表示することにより、互いに類似する複数の画像を一度に見ることができる。
【００１４】
本発明の第２の画像表示装置および方法によれば、所望とされる代表画像の表示の指示がなされた場合において、指示がなされた代表画像が分類されたグループに複数の画像が分類されている場合、指示された代表画像に他に類似する画像があることを表すマークが付与されて、指示された代表画像が表示される。そして、指示された代表画像が分類されたグループのすべての画像の一覧表示の指示がなされると、指示された代表画像が分類されたグループのすべての画像の一覧が表示される。このため、ユーザはマークの有無により、表示中の代表画像に他に類似する画像が存在するか否かを容易に認識することができる。また、一覧表示の指示を行えば、その代表画像に類似する画像の一覧を表示できることから、互いに類似する複数の画像を効率よく表示することができる。
【００１５】
この際、画像の一覧として、選択された代表画像が分類されたグループのすべての画像のサムネイル画像の一覧を表示することにより、複数の類似画像を一度に見ることができる。
【発明を実施するための最良の形態】
【００１６】
以下、図面を参照して本発明の実施形態について説明する。図１は本発明の第１の実施形態による画像表示装置を適用したデジタルカメラの背面を中心とする斜視図である。図１に示すように、このデジタルカメラ１の背面には、撮影者による操作のためのインターフェースとして、動作モードスイッチ１１、メニュー／ＯＫボタン１２、ズーム／上下矢印レバー１３、左右矢印ボタン１４、Ｂａｃｋ（戻る）ボタン１５、表示切替ボタン１６を有している他、ファインダ１７、液晶モニタ１８を有している。また、上面には、レリーズボタン１９が設けられている。
【００１７】
図２は本発明の第１の実施形態による画像表示装置を適用したデジタルカメラの前面を中心とする斜視図である。図２に示すように、デジタルカメラ１の前面には、レンズ２０、レンズカバー２１、電源スイッチ２２、ファインダ窓２３、フラッシュ２４、セルフタイマーランプ２５が設けられている。
【００１８】
図３は本発明の第１の実施形態による画像表示装置を適用したデジタルカメラの構成を示す概略ブロック図である。図３に示すデジタルカメラ１は、撮影により取得した画像データを、Ｅｘｉｆ形式の画像ファイルに変換して、本体に着脱可能な外部記録メディア７０へ記録するものである。
【００１９】
このデジタルカメラの操作系としては、前述の動作モードスイッチ１１、メニュー／ＯＫボタン１２、ズーム／上下矢印レバー１３、左右矢印ボタン１４、Ｂａｃｋ（戻る）ボタン１５、表示切替ボタン１６、レリーズボタン１９、電源スイッチ２２と、これらのスイッチ類の操作内容をＣＰＵ７５に伝えるためのインターフェース部分である操作系制御部７４とを有している。
【００２０】
光学系としては、フォーカスレンズ２０ａおよびズームレンズ２０ｂを有している。各々のレンズは、モータとモータドライバとからなるフォーカスレンズ駆動部５１およびズームレンズ駆動部５２によって光軸方向に移動可能である。フォーカスレンズ駆動部５１はＡＦ処理部６２から出力されるフォーカス駆動量データに基づいて、ズームレンズ駆動部５２はズーム／上下矢印レバー１３の操作量データに基づいて、各々のレンズの移動を制御する。
【００２１】
また、絞り５４は、モータとモータドライバとからなる絞り駆動部５５によって駆動される。この絞り駆動部５５は、ＡＥ／ＡＷＢ処理部６３から出力される絞り値データに基づいて絞り径の調整を行う。
【００２２】
シャッタ５６は、メカニカルシャッタであり、モータとモータドライバとからなるシャッタ駆動部５７によって駆動される。シャッタ駆動部５７は、レリーズボタン１９の押下により発生する信号と、ＡＥ／ＡＷＢ処理部６３から出力されるシャッタスピードデータとに応じて、シャッタ５６の開閉の制御を行う。
【００２３】
光学系の後方には、撮像素子であるＣＣＤ５８を有している。ＣＣＤ５８は、多数の受光素子を２次元的に配列した光電面を有しており、光学系を通過した被写体光がこの光電面に結像し、光電変換される。光電面の前方には、各画素に光を集光するためのマイクロレンズアレイと、Ｒ，Ｇ，Ｂ各色のフィルタが規則的に配列されたカラーフィルタアレイとが配置されている。ＣＣＤ５８は、ＣＣＤ制御部５９から供給される垂直転送クロックおよび水平転送クロックに同期して、画素毎に蓄積された電荷を１ラインずつシリアルなアナログ撮影信号として出力する。各画素において電荷を蓄積する時間、すなわち、露出時間は、ＣＣＤ制御部５９から与えられる電子シャッタ駆動信号によって決定される。また、ＣＣＤ５８はＣＣＤ制御部５９により、あらかじめ定められた大きさのアナログ撮像信号が得られるように、ゲインが調整されている。
【００２４】
ＣＣＤ５８から取り込まれたアナログ撮影信号は、アナログ信号処理部６０に入力される。アナログ信号処理部６０は、アナログ信号のノイズを除去する相関２重サンプリング回路（ＣＤＳ）と、アナログ信号のゲインを調節するオートゲインコントローラ（ＡＧＣ）と、アナログ信号をデジタル信号に変換するＡ／Ｄコンバータ（ＡＤＣ）とからなる。このデジタル信号に変換された画像データは、画素毎にＲ，Ｇ，Ｂの濃度値を持つＣＣＤ−ＲＡＷデータである。
【００２５】
タイミングジェネレータ７２は、タイミング信号を発生させるものであり、このタイミング信号をシャッタ駆動部５７、ＣＣＤ制御部５９、アナログ信号処理部６０に供給することにより、レリーズボタン１９の操作、シャッタ５６の開閉、ＣＣＤ５８の電荷の取込み、およびアナログ信号処理部６０の処理の同期を取っている。
【００２６】
フラッシュ制御部７３は、フラッシュ２４の発光を制御する。
【００２７】
画像入力コントローラ６１は、アナログ信号処理部６０から入力されたＣＣＤ−ＲＡＷデータをフレームメモリ６６に書き込む。
【００２８】
フレームメモリ６６は、画像データに対して後述の各種デジタル画像処理（信号処理）を行う際に使用する作業用メモリである。
【００２９】
表示制御部７１は、フレームメモリ６６に格納された画像データをスルー画像として液晶モニタ１８に表示させたり、再生モード時に外部記録メディア７０に保存されている画像データを液晶モニタ１８に表示させたりする。
【００３０】
ＡＦ処理部６２およびＡＥ／ＡＷＢ処理部６３は、プレ画像に基づいて撮影条件を決定する。このプレ画像とは、レリーズボタン１９が半押しされることによって発生する半押し信号を検出したＣＰＵ７５がＣＣＤ５８にプレ撮影を実行させた結果、フレームメモリ６６に格納された画像データにより表される画像である。
【００３１】
ＡＦ処理部６２は、プレ画像に基づいて焦点位置を検出し、フォーカス駆動量データを出力する（ＡＦ処理）。
【００３２】
ＡＥ／ＡＷＢ処理部６３は、プレ画像に基づいて被写体輝度を測定し、測定した被写体輝度に基づいて絞り値、シャッタスピード等を決定し、絞り値データおよびシャッタスピードデータを露出設定値として決定するとともに（ＡＥ処理）、撮影時のホワイトバランスを自動調整する（ＡＷＢ）。
【００３３】
画像処理部６４は、本画像の画像データに対して、ガンマ補正、シャープネス補正、コントラスト補正等の画質補正処理、ＣＣＤ−ＲＡＷデータを輝度信号であるＹデータと、青色色差信号であるＣｂデータおよび赤色色差信号であるＣｒデータとからなるＹＣデータに変換するＹＣ処理を行う。この本画像とは、レリーズボタン１９が全押しされることによって実行される本撮影においてＣＣＤ５８から取り込まれ、アナログ信号処理部６０、画像入力コントローラ６１経由でフレームメモリ６６に格納された画像データによる画像である。
【００３４】
圧縮／伸長処理部６５は、画像処理部６４によって補正・変換処理が行われた本画像の画像データに対して、例えば、ＪＰＥＧ等の圧縮形式で圧縮処理を行い、画像ファイルを生成する。この画像ファイルには、Ｅｘｉｆフォーマット等に基づいて、撮影日時等の付帯情報が格納されたタグが付加される。また、圧縮／伸長処理部６５は、再生モードの場合には、外部記録メディア７０から圧縮された画像ファイルを読み出し、伸張処理を行う。伸長後の画像データは液晶モニタ１８に出力される。
【００３５】
メディア制御部６７は、外部記録メディア７０にアクセスして画像ファイルの書き込みと読み込みの制御を行う。
【００３６】
内部メモリ６８は、デジタルカメラ１において設定される各種定数、およびＣＰＵ７５が実行するプログラム等を格納する。
【００３７】
画像分類部８０は、外部記録メディア７０に記録された複数の画像を、互いに類似する画像からなる複数のグループに分類する。この分類の手法としては、上記特許文献１〜３に記載された手法の他、任意の手法を用いることができる。なお、いずれの画像とも類似しない画像については、画像分類部８０は、その画像のみを単独で１つのグループに分類する。
【００３８】
選択部８１は、画像分類部８０により画像が分類された各グループを代表する代表画像を選択する。代表画像は各グループに含まれる画像を代表する画像であり、例えば、グループに分類された画像のうち、撮影時刻が最新の画像、最古の画像、およびランダムに選択した画像等のいずれかを用いることができる。
【００３９】
ＣＰＵ７５は、動作モードスイッチ１１等の操作系やＡＦ処理部６２等の各種処理部からの信号に応じてデジタルカメラ１の本体各部を制御する。
【００４０】
データバス７６は、画像入力コントローラ６１、各種処理部６２〜６５、フレームメモリ６６、メディア制御部６７、内部メモリ６８、表示制御部７１、画像分類部８０、選択部８１およびＣＰＵ７５に接続されており、画像データおよび各種指示のやり取りを行う。
【００４１】
次いで、以上の構成のデジタルカメラ１において行われる処理について説明する。図４は本実施形態において行われる処理を示すフローチャートである。なお、第１の実施形態においては、撮影により複数の画像が取得されて、外部記録メディア７０に記録されているものとする。
【００４２】
ユーザがデジタルカメラ１のモードを再生モードに切り替えて、類似画像分類の指示を行うことにより、画像分類部８０が外部記録メディア７０に記録された複数の画像を、互いに類似する画像からなる複数のグループに分類する（ステップＳＴ１）。次いで、選択部８１が、画像が分類された各グループを代表する代表画像を選択する（ステップＳＴ２）。そして、表示制御部７１が、図５に示すように、代表画像のサムネイル画像の一覧を液晶モニタ１８に表示する（ステップＳＴ３）。
【００４３】
次いで、表示制御部７１が所望とされる代表画像が選択されたか否かの監視を開始し（ステップＳＴ４）、ステップＳＴ４が肯定されると、選択された代表画像が分類されたグループに、代表画像以外に他の画像が分類されているか否かを判定する（ステップＳＴ５）。ステップＳＴ５が否定されると、図６に示すように、選択した画像を拡大して液晶モニタ１８に表示し（ステップＳＴ６）、リターンする。ステップＳＴ５が肯定されると、表示制御部７１は、図７に示すように、選択した代表画像が分類されているグループのすべての画像のサムネイル画像の一覧を液晶モニタ１８に表示し（ステップＳＴ７）、リターンする。
【００４４】
なお、図７に示すサムネイル画像の一覧において、ユーザが所望とする画像を選択すると、選択した画像が拡大されて表示される。
【００４５】
このように、第１の実施形態においては、複数のグループに分類された画像から各グループを代表する代表画像を選択し、代表画像のサムネイル画像の一覧を表示し、一覧において所望とされる代表画像が選択されると、選択された代表画像が分類されたグループのすべての画像の一覧を表示するようにしたものである。このため、ユーザは代表画像を選択しさえすれば、その代表画像に類似する画像の一覧を表示でき、その結果、類似画像を効率よく表示することができる。
【００４６】
なお、図５に示すサムネイル画像の一覧において、代表画像を削除した場合には、代表画像が分類されたグループのすべての画像を削除するようにしてもよい。これにより、不要な画像を削除する際の操作性を向上させることができる。
【００４７】
次いで、本発明の第２の実施形態について説明する。なお、第２の実施形態においては、表示制御部７１が行う処理が第１の実施形態と異なるのみであり、装置の構成としては第１の実施形態と同一であるため、ここでは詳細な説明は省略する。
【００４８】
図８は第２の実施形態において行われる処理を示すフローチャートである。なお、第２の実施形態においても、撮影により複数の画像が取得されて、外部記録メディア７０に記録されているものとする。
【００４９】
ユーザがデジタルカメラ１のモードを再生モードに切り替えて、類似画像分類の指示を行うことにより、画像分類部８０が外部記録メディア７０に記録された複数の画像を、互いに類似する画像からなる複数のグループに分類する（ステップＳＴ１１）。次いで、選択部８１が、画像が分類された各グループを代表する代表画像を選択する（ステップＳＴ１２）。そして、表示制御部７１が、液晶モニタ１８に表示する代表画像に類似する画像があるか否かを判定する（ステップＳＴ１３）。
【００５０】
ステップＳＴ１３が肯定されると、表示制御部７１は、図９に示すように、選択した代表画像に類似する画像が存在することを表すマーク９０を、選択した代表画像に付与して液晶モニタ１８に表示する（ステップＳＴ１４）。ステップＳＴ１３が否定されると、選択された代表画像をそのまま液晶モニタ１８に表示し（ステップＳＴ１５）、リターンする。
【００５１】
なお、ステップＳＴ１４に続いて、一覧表示の指示がなされたか否かの監視を開始し（ステップＳＴ１６）、ステップＳＴ１６が否定されるとリターンする。ステップＳＴ１６が肯定されると、液晶モニタ１８に表示されている代表画像が分類されているグループのすべての画像のサムネイル画像の一覧を表示し（ステップＳＴ１７）、リターンする。
【００５２】
このように第２の実施形態においては、複数のグループに分類された画像から各グループを代表する代表画像を選択し、所望とされる代表画像の表示の指示がなされた場合において、指示された代表画像に類似する画像があることを表すマーク９０を付与して表示するようにしたものである。このため、ユーザはマーク９０の有無により、表示中の代表画像に類似する画像が存在するか否かを容易に認識することができる。
【００５３】
また、マーク９０が付与された画像の表示中に画像の一覧表示の指示を行えば、その代表画像に類似する画像の一覧を表示できることから、類似画像を効率よく表示することができる。
【００５４】
なお、図９に示すようにマーク９０が付与された代表画像が表示された状態において代表画像を削除した場合には、代表画像が分類されたグループのすべての画像を削除するようにしてもよい。これにより、不要な画像を削除する際の操作性を向上させることができる。
【００５５】
以上、本発明の実施形態に係る装置について説明したが、コンピュータを、上記の画像分類部８０、選択部８１および表示制御部７１に対応する手段として機能させ、図４，８に示すような処理を行わせるプログラムも、本発明の実施形態の１つである。また、そのようなプログラムを記録したコンピュータ読取り可能な記録媒体も、本発明の実施形態の１つである。また、このようなプログラムを、画像を閲覧するためのビューアソフトに組み込むようにしてもよい。
【図面の簡単な説明】
【００５６】
【図１】本発明の第１の実施形態による画像表示装置を適用したデジタルカメラの背面を中心とする斜視図
【図２】本発明の第１の実施形態による画像表示装置を適用したデジタルカメラの前面を中心とする斜視図
【図３】本発明の第１の実施形態による画像表示装置を適用したデジタルカメラの構成を示す概略ブロック図
【図４】第１の実施形態において行われる処理を示すフローチャート
【図５】サムネイル画像の一覧が表示された液晶モニタを示す図
【図６】選択した画像が拡大されて表示された液晶モニタを示す図
【図７】選択した画像が分類されているグループのすべての画像のサムネイル画像が表示された液晶モニタを示す図
【図８】第１の実施形態において行われる処理を示すフローチャート
【図９】類似する画像が存在することを表すマークが付与された状態を示す図
【符号の説明】
【００５７】
１  デジタルカメラ
１８    液晶モニタ
５８    ＣＣＤ
５９    ＣＣＤ制御部
７１    表示制御部
７５    ＣＰＵ
８０    画像分類部
８１    選択部
【図１】
2007257465.tif 000003
【図２】
2007257465.tif 000004
【図３】
2007257465.tif 000005
【図４】
2007257465.tif 000006
【図５】
2007257465.tif 000007
【図６】
2007257465.tif 000008
【図７】
2007257465.tif 000009
【図８】
2007257465.tif 000010
【図９】
2007257465.tif 000011